(57)【要約】      （修正有）【課題】双眼レンズを通して光を照射した対象物の箇所を影が生じ難い状態で見られる双眼ルーペを提供する。【解決手段】装着体２に連結機構４を介して取り付けられる双眼レンズ３と鏡筒５１から光を対象物に照射する発光部とを備える。連結機構を構成するアーム４１の一端が、装着体を頭部に装着したとき、正面から見て両眼間の中央部の中央位置より上方で回転可能に装着体に取り付けられ、アームの他端に、側面から見てアームとでＬ字状態でかつ正面から見て両眼及び両眼の間を双眼レンズで覆うようにこの双眼レンズの上端が取り付けられるレンズ取付部４４を回転可能に設ける。双眼レンズの少なくとも正面から見て両眼の間の中央部の位置に開口部を設ける。鏡筒は、基部が両眼間の中央部の位置で装着体に取り付けられ、光が対象物に直接照射されるように先端部が双眼レンズの開口部の内側又は外側に位置されてなる。【選択図】図１
0003167850.tif 000002
【実用新案登録請求の範囲】
【請求項１】
人の頭部の少なくとも前面に装着される装着体と、前記装着体に連結機構を介して取り付けられ対象物を拡大視しかつ両眼にそれぞれ対応する２つのレンズが一体に形成された双眼レンズと、鏡筒から指向性の高い光を前記対象物に照射する発光部とを備えた双眼ルーペであって、
前記連結機構が、前記頭部の左右方向に延びる軸に対して直交する方向に延びるアームを有し、このアームの一端が、前記装着体を前記頭部に装着したとき、正面から見て両眼間の中央部の中央位置より上方で前記頭部の左右方向に延びる軸周りに前記アームが前記頭部の顔から前方に延びた前方延状態から上方に回転可能に支持されかつ回転停止位置に保持されるように前記装着体に取り付けられ、前記アームの他端に、側面から見て前記アームに対して下方に直交する方向に延びる前記アームとでＬ字状態でかつ前記アームが前記前方延状態に位置されているときに正面から見て前記両眼及び両眼の間を前記双眼レンズで覆うようにこの双眼レンズの上端が取り付けられるレンズ取付部を設け、前記レンズ取付部が、前記頭部の左右方向に延びる軸周りに前記Ｌ字状態の前記双眼レンズが前記アームに対して前記装着体から離れる回転方向の上方に回転可能に前記アームの他端に支持され、
前記双眼レンズの少なくとも前記アームが前記前方延状態に位置されているときに正面から見て前記両眼の間の中央部の位置に、開口部を設け、
前記鏡筒は、基部が正面から見て前記両眼間の中央部の位置で前記装着体に取り付けられ、前記光が前記対象物に直接照射されるように先端部が前記双眼レンズの開口部の内側又は外側に位置されてなることを特徴とする双眼ルーペ。
【請求項２】
前記双眼レンズの開口部は、前記アームが前記前方延状態に位置されているときに正面から見て前記両眼の間の中央部の位置から上方にＵ字状に開口された切り欠きによって形成され、
前記鏡筒の基部が、前記頭部から前方に延びた状態からその頭部の左右方向に延びる軸周りに下方に回転可能に支持されかつ回転停止位置に保持されるように前記装着体に取り付けられ、
前記アームの一端が、前記アームが前方延状態からさらに下方で前記鏡筒の軸と長手方向とが平行になり得るように回転可能に支持されかつ回転停止位置に保持されるように前記装着体に取り付けられている請求項１に記載の双眼ルーペ。
【請求項３】
前記アームは、長手方向の長さが可変可能に形成されている請求項１又は２に記載の双眼ルーペ。
【請求項４】
前記レンズ取付部が、前記Ｌ字状態の前記双眼レンズが前記アームに対して前記頭部から離れる回転方向の上方に９０°以上回転可能に前記アームの他端に支持され、
前記レンズ取付部に、指で掴み前記アームに対する前記レンズ取付部の回転と前記装着体に対する前記アームの回転をそれぞれ行える操作部を設けた請求項１〜３のいずれか１項に記載の双眼ルーペ。
【請求項５】
前記鏡筒の基部が、前記頭部から前方に延びた状態からその頭部の左右方向に延びる軸周りに上方に回転可能に支持されかつ回転停止位置に保持されるように前記装着体に取り付けられている請求項１〜４のいずれか１項に記載の双眼ルーペ。
【考案の詳細な説明】
【技術分野】
【０００１】
本考案は、両眼にそれぞれ対応する２つのレンズが一体に形成された左右一体式の双眼レンズで対象物を拡大視する双眼ルーペに関し、特に医療用の双眼ルーペに適したものである。
【背景技術】
【０００２】
簡便に使用できる双眼ルーペとしては、両眼にそれぞれ対応する２つのレンズが一体に形成された左右一体式の双眼レンズを用いたものが知られている。この双眼ルーペの一つとして、双眼レンズで拡大視する対象物に光を照射するものがある（例えば、特許文献１及び２参照。）。
【０００３】
特許文献１に記載されている双眼ルーペは、人の頭部に装着される装着体と、装着体に連結機構を介して取り付けられる左右一体式の双眼レンズと、光を対象物に照射する発光部とを備えている。連結機構は、装着体に突出した状態で設けられている取付部と、一端が取付部に取り付けられ他端が双眼レンズの上端を取り付けるアームとを有する。アームは、取付部から下方に延びてから斜め前方に延びる屈曲状に形成されている。発光部は、基部が取付部の先端部に取り付けられてなる。これにより、装着体を人の頭部に装着して双眼レンズで対象物を拡大視するとき、対象物に発光部からの光を照射することができる。
【０００４】
特許文献２に記載されている双眼ルーペは、人の頭部に装着される装着体と、装着体に連結部を介して取り付けられる左右一体式の双眼レンズと、光を対象物に照射する発光部とを備えている。連結部は、装着体の前面から前方に水平平板状に突出して形成されている。すなわち、連結部は、帽子のつばのように形成されている。連結部の先端の下部に、双眼レンズの上端が取り付けられている。発光部は、連結部の上面の前後方向の略中央部に上方に突出して取り付けられてなる。これにより、装着体を人の頭部に装着して双眼レンズで対象物を拡大視するとき、対象物に発光部からの光を照射することができる。
【先行技術文献】
【特許文献】
【０００５】
【特許文献１】特開２００６−１１３３３２号公報
【特許文献２】特開２００４−２７１６８３号公報
【考案の概要】
【考案が解決しようとする課題】
【０００６】
ところで、双眼ルーペは、一般的に左右一体式の双眼レンズの左右各々のレンズの中心部に視軸を合わせて使用するため、特許文献１及び２に記載されている双眼ルーペのように前面から見たとき双眼レンズの上方に発光部が位置されていると、側面から見た照明光軸と視軸とのなす角度（照明角度）が大きくなって、対象物に発光部から光を照射しても双眼レンズを通して見る対象物の箇所に影が生じることがある。特に、双眼ルーペを医療で使用する場合、すなわち、医療用の双眼ルーペは、口腔や耳鼻咽喉等の奥行きのある人体開口部内の観察では観察を行う際に対象物に影が生じやすい。また、観察距離が短い耳鼻孔内の観察では、さらに照明角度が大きくなり、開口部面積も狭いことから、深部まで照明が行き渡らず、深部の観察を暗い状態で行わなければならなかった。
本考案が解決しようとする課題は、双眼レンズを通して光を照射した対象物の箇所を影が生じ難い状態で見られるようにすることにある。
【課題を解決するための手段】
【０００７】
前記課題を解決するため、本考案に係る双眼ルーペは、人の頭部の少なくとも前面に装着される装着体と、前記装着体に連結機構を介して取り付けられ対象物を拡大視しかつ両眼にそれぞれ対応する２つのレンズが一体に形成された双眼レンズと、鏡筒から指向性の高い光を前記対象物に照射する発光部とを備えた双眼ルーペであって、前記連結機構が、前記頭部の左右方向に延びる軸に対して直交する方向に延びるアームを有し、このアームの一端が、前記装着体を前記頭部に装着したとき、正面から見て両眼間の中央部の中央位置より上方で前記頭部の左右方向に延びる軸周りに前記アームが前記頭部の顔から前方に延びた前方延状態から上方に回転可能に支持されかつ回転停止位置に保持されるように前記装着体に取り付けられ、前記アームの他端に、側面から見て前記アームに対して下方に直交する方向に延びる前記アームとでＬ字状態でかつ前記アームが前記前方延状態に位置されているときに正面から見て前記両眼及び両眼の間を前記双眼レンズで覆うようにこの双眼レンズの上端が取り付けられるレンズ取付部を設け、前記レンズ取付部が、前記頭部の左右方向に延びる軸周りに前記Ｌ字状態の前記双眼レンズが前記アームに対して前記装着体から離れる回転方向の上方に回転可能に前記アームの他端に支持され、前記双眼レンズの少なくとも前記アームが前記前方延状態に位置されているときに正面から見て前記両眼の間の中央部の位置に、開口部を設け、前記鏡筒は、基部が正面から見て前記両眼間の中央部の位置で前記装着体に取り付けられ、前記光が前記対象物に直接照射されるように先端部が前記双眼レンズの開口部の内側又は外側に位置されてなることを特徴とする。
【０００８】
このように、発光部の鏡筒の基部が正面から見て両眼間の中央部に位置されているから、側面から見た照明光軸と視軸とのなす角度（照明角度）が小さく、例えば０°になることがあるので、双眼レンズを通して光を照射した対象物の箇所を影が生じ難い状態で見ることができる。特に本考案に係る双眼ルーペを医療で使用する場合、口腔や耳鼻咽喉等の奥行きのある人体開口部内の深部まで光を照射して人体開口部内の立体的な拡大観察を明るい状態で行える。
また、装着体に対して前方延状態のアームを上方に回転させたりアームに対して双眼レンズをレンズ取付部を介して上方に回転させたりすることで、照明しながら裸眼で対象物を見ることが可能となる。さらに、装着体に対してアームを上方に回転させることで、器具を用いて対象物を処理する際に器具の双眼レンズとの接触の防止を図ることが可能となる。
【０００９】
この場合において、双眼レンズの開口部を、アームが前方延状態に位置されているときに正面から見て両眼の間の中央部の位置から上方にＵ字状に開口された切り欠きによって形成し、鏡筒の基部を、頭部から前方に延びた状態からその頭部の左右方向に延びる軸周りに下方に回転可能に支持されかつ回転停止位置に保持されるように前記装着体に取り付け、アームの一端を、アームが前方延状態からさらに下方で前記鏡筒の軸と長手方向とが平行になり得るように回転可能に支持されかつ回転停止位置に保持されるように装着体に取り付けることができる。また、アームを、長手方向の長さが可変可能に形成することができる。さらに、レンズ取付部を、Ｌ字状態の双眼レンズがアームに対して頭部から離れる回転方向の上方に９０°以上回転可能にアームの他端に支持し、レンズ取付部に、指で掴みアームに対するレンズ取付部の回転と装着体に対する前記アームの回転をそれぞれ行える操作部を設けることができる。さらに、鏡筒の基部を、頭部から前方に延びた状態からその頭部の左右方向に延びる軸周りに上方に回転可能に支持しつ回転停止位置に保持されるように装着体に取り付けることができる。
【考案の効果】
【００１０】
本考案によれば、双眼レンズを通して光を照射した対象物の箇所を影が生じ難い状態で見ることができる。
【図面の簡単な説明】
【００１１】
【図１】本考案に係る一例の実施形態の双眼ルーペを頭部に装着した状態を示す側面図である。
【図２】本実施形態の双眼ルーペを示す図で、（ａ）は平面図、（ｂ）は側面図、（ｃ）は正面図である。
【図３】本実施形態の双眼ルーペに用いられるアームを装着体に対して回転させた状態及び発光部を装着体に対して回転させた状態を示す側面図である。
【図４】本実施形態の双眼ルーペに用いられる双眼レンズをアームに対して回転させた状態を示す側面図である。
【図５】本実施形態の双眼ルーペに用いられるアームの長さを可変させた状態を示す側面図である。
【図６】本実施形態の双眼ルーペを頭部に装着した状態を示す側面図で、（ａ）は双眼レンズを水平にした状態を示す図、（ｂ）は双眼レンズとアームとを略平行にしてアームを跳ね上げた状態を示す図、（ｃ）は双眼レンズとアームとをＬ字状態にしてアームを跳ね上げた状態を示す図、（ｄ）は（ｃ）の状態からさらに発光部を上方に回転させて両眼の前方を開放させた状態を示す図である。
【考案を実施するための形態】
【００１２】
以下、本考案に係る双眼ルーペの一実施形態を添付図面に基づいて説明する。図１〜図６に示すように、本実施形態の一例の双眼ルーペ１は、人の頭部に装着される装着体２と、装着体２に連結機構４を介して取り付けられる双眼レンズ３と、鏡筒５１から指向性の高い光を対象物に照射する発光部５とを備えたものである。
【００１３】
装着体２は、人の頭部１１の少なくとも前面に装着されるものであれば特に限定されず、額帯、バンド式、帽子状などの被り物等でもよいが、メガネフレームと略同じ形状の装着フレーム２０が好ましい。装着フレーム２０は、例えば、人の額、こめかみ及び側頭部に装着されて耳にかけられるものである。装着フレーム２０は、人の額の前面に位置されるフロント２１と、フロント２１の両側がそれぞれほぼ直角に折り曲げられた端部にヒンジを介して連結され、こめかみ及び側頭部に装着されて耳にかけられるテンプル２２と、フロント２１の中央部からフロント２１に対して直交する方向で装着フレーム２０を頭部１１に装着したとき下方に延びる取付部２４から下方に延びる取付部材２６の下端に設けられ鼻筋で装着フレーム２０を支える部分である鼻あてでもあるパッド２５とを備えている。取付部材２６は、取付部２４に対して上下方向の高さが可変可能に取り付けられている。これにより、パッド２５の上下の位置を調節できるようになっている（図２（ｂ）参照。）。装着フレーム２０のフロント２１、テンプル２２、取付部２４及び取付部材２６は、例えば、合成樹脂で形成されている。
【００１４】
取付部２４には、装着フレーム２０を頭部１１に装着したとき、正面から見て両眼１３間の中央部の中央位置より上方の位置に前方に延び頭部１１の左右方向に互いに間隔をあけて対向した一対のアーム取付片２７が設けられている。一対のアーム取付片２７間には、一対のアーム取付片２７と同様に取付部２４から前方に突出する支持部２８が設けられている。これら一対のアーム取付片２７と支持部２８には、頭部１１の左右方向を軸とする同軸上の通し穴がそれぞれ設けられている。また、取付部２４には、アーム取付片２７の下方であって両眼１３間の中央部の中央位置より若干上方の位置に鏡筒取付部２９が設けられている。鏡筒取付部２９には、頭部１１の左右方向を軸とする通し穴が設けられている。
【００１５】
連結機構４は、装着体２に双眼レンズ３を連結するものである。連結機構４は、頭部１１の左右方向に延びる軸に対して直交する方向に延びるアーム４１を有している。アーム４１は、装着体２に取り付けられる直線状に延びた第１アーム４２と、双眼レンズ３が取り付けられる直線状に延びた第２アーム４３とからなる。
【００１６】
第１アーム４２は、例えば、断面矩形状の直線状に延びた略棒状に形成されている。第１アーム４２の一端は、上から見たときコ字状に一対の取付片４２ａが形成されている。一対の取付片４２ａには、頭部１１の左右方向を軸とする同軸上の通し穴がそれぞれ設けられている。第１アーム４２は、一対の取付片４２ａを装着体２の一対のアーム取付片２７と支持部２８との間にそれぞれ挿入してかつ一対の取付片４２ａの通し穴を一対のアーム取付片２７と支持部２８の通し穴に穴合わせした状態で、ネジ部材やピン等の締め付け部材例えばネジ１５をこれら穴に順次通してネジの先端部にナットを螺合させる。これにより、第１アーム４２の一端が頭部の左右方向に延びる軸周りに回転可能に装着体２に支持され、かつ、ナットの締め付けトルクを調節することでアーム４１に双眼レンズ３を取り付けた状態で回転停止位置に保持することができるようになっている。
【００１７】
アーム４１の装着体２に対する回転範囲は、装着フレーム２０を頭部１１に装着してアームが頭部１１の顔１２から前方に延びた前方延状態から上方に９０°以上例えば９０°より若干大きな角度（１００°などの角度）までの回転範囲が好ましく（図３、図６（ｂ）（ｃ）参照。）、さらに下方にも回転することが好ましい。アーム４１の装着体２に対する下方への回転範囲は、例えば、前方延状態から下方に略４５°の回転範囲であることが好ましい。なお、アーム４１の装着体２に対する下方への回転範囲は、前方延状態から下方に略４５°を超えた回転範囲にしてもよい。第１アーム４２内の一対の取付片４２ａ近傍から他端面には、他端面に開口部を有する断面矩形状の挿入穴４２ｂが設けられている。また、第１アーム４２の上面には、挿入穴４２ｂの幅より狭く、挿入穴４２ｂに貫通するスリット状のガイド穴４２ｃが設けられている。
【００１８】
第２アーム４３は、第１アーム４２の挿入穴４２ｂより若干小さな断面矩形状の直線状に延びた棒状に形成されており、第１アーム４２の挿入穴４２ｂ内に嵌合されるようになっている。第２アーム４３の長手方向の長さは、第１アーム４２の挿入穴４２ｂの長手方向の長さより長い寸法で形成されている。第２アーム４３の一端よりの上面には、第１アーム４２の挿入穴４２ｂ内に第２アーム４３を挿入して嵌合した際にガイド穴４２ｃの一部と挿通するネジ穴が設けられており、この状態でネジ部材１６をガイド穴４２ｃを通してネジ穴に螺合させることで、第１アーム４２に第２アーム４３が連結され、かつ、第１アーム４２から突出する第２アーム４３の長さ（アーム４１の長手方向の長さ）を可変させるすなわち調節することができるようになっている（図５参照。）。第２アーム４３の他端には、上下方向に貫通する通し穴が設けられ、かつ、レンズ取付部４４が設けられている。なお、アーム４１は、アーム４１の長手方向の長さを調節できるように第１アーム４２と第２アーム４３とから形成したが、アーム４１を１つの部材で形成してもよい。
【００１９】
レンズ取付部４４は、第２アーム４３の他端に取り付けられるアーム取付部材４５とレンズ取付部材４６とからなる。アーム取付部材４５は、側面から見たとき略コ字状に形成されている。アーム取付部材４５の上片と下片が一対の挟持片４５ａとして形成されており、この一対の挟持片４５ａには、上下方向に同軸で通し穴が設けられている。下側の挟持片４５ａの通し穴にネジ溝が設けられている。アーム取付部材４５の一対の挟持片４５ａで第２アーム４３の他端を上下方向で挟みかつ各通し穴を穴合わせした状態で、ネジ部材やピン等の締め付け部材例えばネジ１７をこれら穴に上側順次通してネジを下側の挟持片４５ａの通し穴に螺合させる。これにより、第２アーム４３の他端にアーム取付部材４５が取り付けられる。
【００２０】
レンズ取付部材４６は、弾性力により双眼レンズ３の上端を挟持する一対のレンズ挟持片４７と、これら一対のレンズ挟持片４７を連結する連結部材４８とからなる。一対のレンズ挟持片４７は、開口部が頭部１１の左右方向の外側に位置される断面コ字状に弾性部材により形成されている。この一対の挟持片４７は、間隔が双眼レンズ３の上端の取付片３ａより狭く、かつ、双眼レンズ３の上端の取付片３ａを一対の挟持片４７に挿入して一対の挟持片４７の弾性力で双眼レンズ３の上端の取付片３ａが取り付けられるように形成されている。なお、レンズ取付部材４６は、双眼レンズ３の上端を一対のレンズ挟持片４７の弾性力で挟持して取り付けるようにしたが、これに限定されず、例えば、ビス等を用いて一対のレンズ挟持片で挟持して取り付けるようにしてもよいし、双眼レンズの上端をビス等で一対のレンズ取付片に直接取り付けるようにしてもよい。
【００２１】
連結部材４８は、金属製例えばアルミ製の断面円形の棒部材である。連結部材４８は、アーム取付部材４５の一対の挟持片４７の間の奥に挿入された状態でアーム取付部材４５に取り付けられており、アーム取付部材４５にレンズ取付部材４６が連結部材４８を軸に回転可能に支持されるようになっている。連結部材４８の直径は、アーム取付部材４５に対してレンズ取付部材４６を回転させてその回転を停止したとき、レンズ取付部材４６がアーム取付部材４５に対して双眼レンズ３を取り付けた状態で回転停止位置に保持され得る寸法で形成されている。また、アーム取付部材４５に対するレンズ取付部材４６の回転範囲、すなわち、アーム４１に対する双眼レンズ３の回転範囲は、双眼レンズ３が側面から見てアーム４１に対して下方に直交する方向に延びるアーム４１とでＬ字状態から上方（装着体２から離れる回転方向の上方）に９０°以上、例えば、略１７０°までの回転範囲が好ましい（図４参照。）。
【００２２】
また、レンズ取付部材４６の一対の挟持片４７のいずれか一方又は両方例えば装着フレーム２０を頭部１１に装着したとき、右眼１３側の挟持片４７に、操作部４９が設けられている。操作部４９は、例えば、挟持片４７から挟持片４７の長手方向に突出して双眼レンズ３の側部上方に位置されて形成されている。これにより、右手で操作部４９を指で掴みアーム４１に対するレンズ取付部４４すなわち双眼レンズ３の回転と装着体２に対するアーム４１の回転をそれぞれ行えるようになっている。なお、操作部４９は、指で掴みアーム４１に対するレンズ双眼レンズ３の回転と装着体２に対するアーム４１の回転をそれぞれ行えるならばその位置及び形状はどのように形成してもよい。
【００２３】
発光部５は、ＬＥＤを光源として絞り調節可能で頭部１１の前面近傍から前方に指向性の高い光を照射するもので、円筒状の鏡筒５１を有している。鏡筒５１には、ＬＥＤを発光させるための電力を供給する電源ケーブルが接続されている。鏡筒５１の基部の端面の上方には、端面から突出する一対の取付片５１ａが設けられている。一対の取付片５１ａには、頭部１１の左右方向を軸とする同軸上の通し穴がそれぞれ設けられている。鏡筒５１の基部は、一対の取付片５１ａを鏡筒取付部２９を挟持するように位置させ、かつ、一対の取付片５１ａの通し穴を鏡筒取付部２９の通し穴に穴合わせした状態で、ネジ部材やピン等の締め付け部材例えばネジをこれらの穴に順次通してネジの先端部にナットを螺合させる。これにより、鏡筒５１の基部が頭部１１の左右方向に延びる軸周りに回転可能に装着体２の鏡筒取付部２９に支持され、かつ、ナットの締め付けトルクを調節することで回転停止位置に保持することができるようになっている。
【００２４】
装着体２に対する鏡筒５１（発光部）の回転は、装着フレーム２０を頭部１１に装着してアーム４１が頭部１１の顔１２から前方に延びた前方延状態から下方に回転することが好ましく（図３参照。）、この下方への回転範囲は、アーム４１の装着体２に対する下方への回転範囲と略同じであることが好ましく、例えば、前方延状態から下方に略４５°の回転範囲である。また、装着体２に対する鏡筒５１は、前方延状態から上方にも回転することが好ましく（図３及び図６（ａ）参照。）、この上方への回転範囲は、特に限定されず、例えば、装着体２に対して前方延状態から上方に最大に回転したアーム４１に接触して回転が止まるまでの回転範囲であることが好ましい。
【００２５】
鏡筒５１（発光部）の軸方向の長さは、特に限定されないが、例えば、鏡筒５１が前方延状態のとき、前方延状態のアーム４１にＬ字状態で取り付けられた双眼レンズ３の裏面（装着体２側の表面）を含む平面より装着体２側の近傍に先端が位置される寸法で形成されている（図１参照。）。
【００２６】
双眼レンズ３は、両眼１３にそれぞれ対応する２つのレンズが一体に形成された左右一体式のレンズであり、対象物を立体的に拡大視するものである。双眼レンズ３は、横長で、直線状の上端の両側よりの上方にレンズ取付部４４の一対の挟持片４７に挟持される２つの取付片３ａがそれぞれ設けられて形成されている。双眼レンズ３の上下方向の長さ及び左右方向の長さは、装着フレーム２０を頭部１１に装着してアーム４１が前方延状態でかつアーム４１に対して双眼レンズ３が下方に直交する方向に延びたアーム４１とでＬ字状態のときに、正面から見て両眼１３及び両眼１３間を覆う寸法でそれぞれ形成されている。双眼レンズ３の側端及び下端は、例えば、各眼１３に対応した各レンズが側端から下端にかけて湾曲して形成されてなる。
【００２７】
双眼レンズ３には、開口部６が設けられている。開口部６は、発光部５の鏡筒５１からの光を対象物に双眼レンズ３を介さずに直接照射するもので、対象物への光の照射を直接できるならばその形状は、穴、スリット、切り欠き等得に限定されない。開口部６は、例えば、前述のＬ字状態のときに、正面から見て両眼１３間の中央部の位置から上方にＵ字状に開口された切り欠きによって形成されている。開口部６の幅及び奥部の半円状の直径は、対象物に照射される光が双眼レンズ３に干渉せずに行える寸法で形成されていれば特に限定されず、例えば、発光部５の先端内で露出する光を照射するレンズの直径より大きい寸法、図示例ではそのレンズの直径より大きく鏡筒５１の外径より小さな寸法で形成されている。
【００２８】
なお、開口部６の幅及び奥部の半円状の直径は、双眼レンズ３で対象物を見る場合に影響がない範囲で発光部５の外径より大きい寸法で形成してもよく、この場合、発光部５の軸方向の長さは、鏡筒５１が前方延状態のとき、前方延状態のアーム４１にＬ字状態で取り付けられた双眼レンズ３の裏面（装着体２側の表面）を含む平面より装着体２側に位置し得る寸法で形成してもよいし、その平面及び平面より装着体２とは反対側に位置し得る寸法で形成してもよい。発光部５の軸方向の長さが平面より装着体２とは反対側に位置し得る寸法で形成されている場合には、発光部５の先端は、双眼レンズ３の開口部に挿入された状態で対象物を見るようになる。
【００２９】
さて、この双眼ルーペ１を用いて対象物を観察する場合、まず、装着フレーム２０をメガネのように頭部１１にかけて装着する。このとき、アーム４１及び鏡筒５１が前方延状態でない場合及び双眼レンズ３がＬ字状態でない場合にはアーム４１及び鏡筒５１を前方延状態にし、双眼レンズ３をＬ字状態にする（図１参照。）。アーム４１及び鏡筒５１が前方延状態で双眼レンズ３がＬ字状態のときに、双眼レンズ３で対象物を拡大して観察することができ、電源スイッチを切り替えて電力を発光部５に供給することで、ＬＥＤを光源として鏡筒５１から光が双眼レンズ３で観察する箇所の対象物に照射される。このとき、発光部５の鏡筒５１の基部が正面から見て両眼１３間の中央部に位置されているから、側面から見た照明光軸と観察視軸とのなす角度（照明角度）が小さく、例えば０°になることがあるので、双眼レンズ３を通して光を照射した対象物の箇所を影が生じ難い状態で観察することができる。特に、照明角度が小さいと、対象物が口腔や耳鼻咽喉等の奥行きのあるものでも人体開口部内の深部まで光を照射することができるので、人体開口部内の立体的な拡大観察を明るい状態で行える。
【００３０】
装着体２に対して前方延状態のアーム４１を上方に回転させたり（図３、図６（ｂ）〜（ｄ）参照。）アーム４１に対して双眼レンズ３をレンズ取付部４４を介して上方に回転させたり（図４、図６（ａ）参照。）することで、照明しながら裸眼１３で対象物を観察することができる（図６参照。）。さらに、装着体２に対してアーム４１を上方に回転させることで（図３、図６（ｂ）〜（ｄ）参照。）、器具を用いて対象物を処理する際に器具の双眼レンズ３との接触の防止を図ることができる。また、前方延状態のアーム４１を上方に例えば最大に回転させ、かつ、鏡筒５１を上方に例えばアーム４１に接触又は近接するように回転させることで（図６（ｄ）参照。）、両眼１３の前方が開放されるから、双眼ルーペ１を頭部１１に装着したままでも顕微鏡を見たり対象物が口腔や耳鼻咽喉等の場合にはその人などとの会話や説明、カルテなどへの記入等を行えたり他の作業等をアーム４１及び鏡筒５１が邪魔になることなく行える。
【００３１】
双眼レンズ３の開口部６が、アーム４１が前方延状態のときに正面から見て両眼１３の間の中央部の位置から上方にＵ字状に開口された切り欠きによって形成され、鏡筒５１の基部が下方に回転可能に装着体２に支持され、かつ、下方に回転可能に装着体２に支持されていることで、顔１２から前方の対象物より下方の対象物を観察する場合、すなわち、観察視軸が顔１２に対して前方ではなく前方から下方に傾斜した場合、双眼レンズ３が観察視軸に対して直交するようにアーム４１を装着体２に対して回転させて双眼レンズ３の位置の調節を行え、かつ、発光部５を観察視軸（アーム４１）と平行になるように調節を行える。これにより、観察する対象物が顔１２の正面ではなく正面よりも下側にある場合にも、観察視軸と双眼レンズ３とを互いに直交するようにアーム４１や双眼レンズ３の位置を調節することで、双眼レンズ３に映る像が間延びや歪みがない拡大された像となるので、観察し得る対象物の観察範囲が正面だけでなく広くなり、汎用性に優れる。なお、観察視軸に対して双眼レンズ３の角度が９０°でない場合には、双眼レンズ３に映る像が間延びしたり歪んだりして全体が均一に拡大された像とならない。
【００３２】
アーム４１の長手方向の長さが可変可能すなわち調節可能であると、双眼レンズ３までの距離を変えられるので、対象物を処理したい場合は双眼レンズ３を顔１２側に近付けて対象物との距離を短くできたり、個人差による距離の調節を行える。
双眼レンズ３を取り付けたレンズ取付部４４に、指で掴みアーム４１に対する双眼レンズ３の回転と装着体２に対するアーム４１の回転をそれぞれ行える操作部４９を設けたことで、双眼レンズ３を触ることなく容易にアーム４１に対する双眼レンズ３の回転と装着体２に対するアーム４１の回転を行える。
【符号の説明】
【００３３】
１  双眼ルーペ
２  装着体
３  双眼レンズ
４  連結機構
５  発光部
６  開口部
１１  頭部
１２  顔
１３  眼
４１  アーム
４２  第１アーム
４３  第２アーム
４４  レンズ取付部
４５  アーム取付部材
４６  レンズ取付部材
４９  操作部
５１  鏡筒
【図１】
0003167850.tif 000003
【図２】
0003167850.tif 000004
【図３】
0003167850.tif 000005
【図４】
0003167850.tif 000006
【図５】
0003167850.tif 000007
【図６】
0003167850.tif 000008